(57)【要約】【課題】本体側から外部機器の電源のオン・オフ制御ができる映像音声信号処理装置、及び、本体側から外部チューナーが受信するチャンネル信号について放送内容の情報の表示及び選局操作ができる映像音声信号処理装置を提供する。【解決手段】ハードディスク・レコーダ２は、高速データ端子１９を介して、ＣＳ受像機３などの外部機器に電源制御信号を転送し、ハードディスク・レコーダ２と連動し外部機器３の電源のオン・オフを制御する。また、高速データ端子を介してＣＳ受像機が送信された番組情報データがＴＶ受像機１の表示部５に表示される。また、ハードディスク・レコーダはチャンネル選択制御信号を生成し、高速データ端子を経由してＣＳ受像機に出力し、ＣＳ受像機の受信チャンネルを切り換える。【選択図】図２
2004200862.tif 000002
【特許請求の範囲】
【請求項１】
映像音声信号を処理する第１の映像音声信号処理機器と、
映像音声信号を出力する第２の映像音声信号処理機器と
を有し、
前記第２の映像音声信号処理機器は、前記第１の映像音声信号処理機器に設けられた外部入力端子に接続され、
前記第１の映像音声信号処理機器は、当該第１の映像音声信号処理機器の電源のオン・オフ状態に応じた電源制御信号を生成し、前記第２の映像音声信号処理機器に送信する電源制御信号生成手段を有し、
前記第２の映像音声信号処理機器は、前記電源制御信号を受け、前記電源制御信号に応じて、前記第２の映像音声信号処理機器の電源のオン・オフを制御する電源制御手段を有する
映像音声信号処理装置。
【請求項２】
前記第１の映像音声信号処理機器は複数の前記外部入力端子を有し、
前記複数の外部入力端子に複数の前記第２の映像音声信号処理機器が接続されており、
前回前記第１の映像音声信号処理機器の電源がオンされていた時に前記第１の映像音声信号処理機器に映像音声信号を入力していた第２の映像音声信号処理機器が接続していた前記外部入力端子を記憶する記憶手段をさらに有し、
前記第１の映像音声信号処理機器の電源がオンされた時に、前記記憶手段に記憶された外部入力端子に接続されている前記第２の映像音声信号処理機器の電源制御手段は、当該第２の映像音声信号処理機器の電源をオンする
請求項１に記載の映像音声信号処理装置。
【請求項３】
前記第１の映像音声信号処理機器の電源がオフされた時に、現在前記第１の映像音声信号処理機器に映像音声信号を入力している第２の映像音声信号処理機器の電源制御手段は、当該第２の映像音声信号処理機器の電源をオフする
請求項１に記載の映像音声信号処理装置。
【請求項４】
前記第１の映像音声信号処理機器は、当該第１の映像音声信号処理機器の電源のオン・オフを制御する信号を発信する発信部を有するリモートコントローラを含み、
前記第１の映像音声信号処理機器の前記電源制御信号生成手段は、前記リモートコントローラが発信した前記制御信号に応じて、前記電源制御信号を生成する
請求項１に記載の映像音声信号処理装置。
【請求項５】
映像音声信号を入力する外部入力端子を有し、映像音声信号を処理する映像音声信号処理機器と、
前記映像音声信号処理機器の外部に設けられ、前記外部入力端子に接続され、複数のチャンネルのテレビジョン放送信号のうち選択された１チャンネルのテレビジョン放送信号を前記映像音声信号処理機器に出力する外部チューナーと、
前記外部チューナーが受信した前記テレビジョン放送信号が出力表示される表示部と
を有し、
前記外部チューナーは、前記映像音声信号処理機器に出力する所定のチャンネルの放送内容に関する情報データである番組情報データを前記映像音声信号処理機器に送信する番組情報データ送信手段を有し、
前記映像音声信号処理機器は、前記外部チューナーの前記番組情報信号送信手段から送信される前記所定のチャンネルの放送内容に関する番組情報データを受け、前記表示部に表示する番組情報表示制御手段を有する
映像音声信号処理装置。
【請求項６】
前記映像音声信号処理機器は、前記番組情報データが表示された前記所定のチャンネルを所望の視聴チャンネルとして選択するチャンネル選択手段を有する
請求項５に記載の映像音声信号処理装置。
【発明の詳細な説明】
【０００１】
【発明の属する技術分野】
本発明は、外部チューナーなどの外部入力端子に接続された外部機器から出力される映像音声信号を処理する映像音声信号処理機器及び映像音声処理装置に関するものである。
【０００２】
【従来の技術】
近年、ＢＳディジタル放送やＣＳ（通信衛星）ディジタル放送等の新しい放送、ＤＶＤ（Digital Versatile Disk）再生装置（以下、ＤＶＤプレイヤーと呼ぶ）など新しい記録媒体を用いる映像音声信号生成装置が実用化されつつある。それに伴い、テレビジョン受像機（以下、ＴＶ受像機と呼ぶ）で受信して視聴する内容が多様化されている。
例えば、特許文献１は、地上波放送、衛星ディジタルテレビ放送、及び衛星ディジタルデータ放送等の複数の放送カテゴリに亘って放送局のチャンネルを選局するための選局操作装置及び方法を開示している。
ＴＶ受像機で視聴する信号は、アンテナとチューナーを用いて受信する放送信号と、記録媒体が内蔵された映像音声信号生成装置はＴＶ受像機の外部接続端子に接続され、記録媒体に記録された映像音声データを再生して出力した映像音声信号とがある。放送信号は、地上波放送信号と、アナログＢＳ（放送衛星）放送信号や、ディジタルグＢＳ放送信号や、ＣＳ（通信衛星）放送信号など地上波以外の放送信号がある。
【０００３】
地上波放送信号は、ＴＶ受像機に内蔵された地上波チューナーで受信する。アナログＢＳ放送やディジタルＢＳ放送信号を受信するＢＳチューナーは、ＴＶ受像機に内蔵されるものと、ＴＶ受像機の外部接続端子に接続されるものがある。ＣＳ放送を受信するＣＳチューナー（例えば、スカイパーフェクト受像機）は、主にＴＶ受像機の外部接続端子に接続されて使用されている。
【０００４】
ＴＶ受像機では、地上波チューナーをテレビ本体と連動してコントロールすることができる。具体的に、ＴＶ受像機本体に対して電源のオン・オフや、放送チャンネルの切換の操作をすれば良く、地上波チューナーを個別に操作する必要がない。地上波放送チャンネルの切換操作、いわゆる選局操作は、ＴＶ受像機本体、若しくは、リモートコントローラ（以下、リモコンと省略する）の数字キーで直接的にチャンネルを選択する、または、チャンネル番号を増加または減少するいわゆるチャンネルアップまたはチャンネルダウンボタンでチャンネルを順次選択することができる。
ＢＳチューナーを内蔵するＴＶ受像機においても、ＴＶ受像機本体とＢＳチューナーを連動して１つのリモコンで操作できる。
【０００５】
【特許文献１】
特開２００２−７７７４８号公報
【０００６】
【発明が解決しようとする課題】
しかし、ＢＳ放送、ＣＳ放送のチューナーは外部入力端子に接続して受信する場合、いわゆる外部チューナーを持つＴＶ受像機では、ＴＶ受像機本体と外部チューナーを通常別々に操作する必要があった。例えば、ＴＶ受像機本体を制御するリモコン、と外部チューナーを制御するリモコンを用意し、ＴＶ受像機本体と外部チューナーの電源をそれぞれオン・オフし、また、外部チューナーを制御し、外部チューナーが受信する放送信号のチャンネル切換を行なう。
外部チューナーのリモコンにあらかじめＴＶ受像機の地上波放送の入力切換ボタンと、ＴＶ受像機の地上波放送チャンネルのアップダウンボタンを装備し、これらのボタンを操作することによって、ＴＶ受像機の地上波放送チャンネルとＢＳチューナーのチャンネルをＢＳチューナーのリモコンによって切り換えるようになっているが、ＴＶ受像機本体と連動して外部チューナーの電源を制御することができず、また、ＴＶ受像機本体側では、外部チューナーが受信する放送信号のチャンネル切換ができなかったので、別々のリモコンを用意し、別々に制御をしなければならなかった。
【０００７】
新しい放送や新しい記録媒体を用いる映像音声信号再生装置の増加に伴い、外部機器を接続する外部入力端子（ライン入力とも呼ばれている）の数が益々増える傾向にある。例えば、従来のＴＶ受像機はライン入力が２つあるのに対して、現在、ライン入力を３つや４つ取りつけることは多くなっており、将来さらに増える予想である。
従来、ライン入力の数は少ないので、外部チューナーとＴＶ受像機本体を別々に制御し、外部チューナー側からしか選局ができなくても、それほど不便性はなかったが、外部チューナーまたは外部機器の数が増えると、操作は煩雑になる。
【０００８】
例えば、外部チューナーまたは外部機器が多くなると、それぞれの外部チューナーまたは外部機器のリモコンを用意し、それぞれ独立に制御しなければならない。
また、例えば、ＣＳチューナーを通常使用されるチューナーとしてＣＳ放送を受信して視聴する場合に、ＴＶ受像機の電源を入れると、視聴したいＣＳチューナーも自動的に電源オンし、すぐ映画などの番組を視聴することが便利であるが、従来はこのようなことができなかった。
また、ＣＳ放送の場合は、ＣＳチューナーが受信可能なチャンネルのアイコンがＴＶ受像機の表示画面に表示されるが、各チャンネルの現在の番組内容などをＴＶ受像機の表示画面上に表示することができず、視聴したい番組を視聴するために、チャンネルを一々切り換えて確認しなければならなかった。
さらに、ＣＳ放送のチャンネルの切り換えは、ＣＳチューナーのリモコンでＣＳチューナー側で操作しなければならず、ＴＶ受像機の本体側からチャンネルを選択することができなかった。
外部接続されるＢＳチューナーについても同様な問題があった。
【０００９】
本発明は、上記の問題に鑑みてなされ、その第１の目的は、本体となる第１の映像音声信号処理機器側からは、外部機器となる第２の映像音声信号処理機器の電源のオン・オフ制御ができる映像音声信号処理装置を提供することにある。
本発明の第２の目的は、映像音声信号処理機器側から外部チューナーが受信するチャンネル信号について放送内容の情報の表示及び選局操作ができる映像音声信号処理装置を提供することにある。
【００１０】
【課題を解決するための手段】
本発明の第１観点の映像音声信号処理装置は、映像音声信号を処理する第１の映像音声信号処理機器と前記第１の映像音声信号機器に映像音声信号を出力する第２の映像音声信号処理機器とを有し、前記第２の映像音声信号処理機器は、前記第１の映像音声信号処理機器に設けられた外部入力端子に接続され、前記第１の映像音声信号処理機器は、当該第１の映像音声信号処理機器の電源のオン・オフ状態に応じた電源制御信号を生成し、前記第２の映像音声信号処理機器に送信する電源制御信号生成手段を有し、前記第２の映像音声信号処理機器は、前記電源制御信号を受け、前記電源制御信号に応じて、前記第２の映像音声信号処理機器の電源のオン・オフを制御する電源制御手段を有する。
【００１１】
前記第１の映像音声信号処理機器は複数の前記外部入力端子を有し、前記複数の外部入力端子に複数の前記第２の映像音声信号処理機器が接続されており、前回前記第１の映像音声信号処理機器の電源がオンされていた時に前記第１の映像音声信号処理機器に映像音声信号を入力していた第２の映像音声信号処理機器が接続していた前記外部入力端子を記憶する記憶手段をさらに有し、前記第１の映像音声信号処理機器の電源がオンされた時に、前記記憶手段に記憶された外部入力端子に接続されている前記第２の映像音声信号処理機器の電源制御手段は、当該第２の映像音声信号処理機器の電源をオンする。
また、前記第１の映像音声信号処理機器の電源がオフされた時に、現在前記第１の映像音声信号処理機器に映像音声信号を入力している第２の映像音声信号処理機器の電源制御手段は、当該第２の映像音声信号処理機器の電源をオフする。
【００１２】
前記第１の映像音声信号処理機器は、当該第１の映像音声信号処理機器の電源のオン・オフを制御する信号を発信する発信部を有するリモートコントローラを含み、前記第１の映像音声信号処理機器の前記電源制御信号生成手段は、前記リモートコントローラが発信した前記制御信号に応じて、前記電源制御信号を生成する。
【００１３】
本発明の第２の観点の映像音声信号処理装置は、映像音声信号を入力する外部入力端子を有し、映像音声信号を処理する映像音声信号処理機器と、前記映像音声信号処理機器の外部に設けられ、前記外部入力端子に接続され、複数のチャンネルのテレビジョン放送信号のうち選択された１チャンネルのテレビジョン放送信号を前記映像音声信号処理機器に出力する外部チューナーと、前記外部チューナーが受信した前記テレビジョン放送信号が出力表示される表示部とを有し、前記外部チューナーは、前記映像音声信号処理機器に出力する所定のチャンネルの放送内容に関する情報データである番組情報データを前記映像音声信号処理機器に送信する番組情報データ送信手段を有し、前記映像音声信号処理機器は、前記外部チューナーの前記番組情報信号送信手段から送信される前記所定のチャンネルの放送内容に関する番組情報データを受け、前記表示部に表示する番組情報表示制御手段を有する。
【００１４】
本発明の第１観点に係る映像音声信号処理装置によれば、外部機器となる第２の映像音声信号処理機器からの映像音声信号を処理する本体となる第１の映像音声信号処理機器には、電源制御信号生成手段を設け、当該第１の映像音声信号処理機器の電源のオン・オフに応じた電源制御信号を生成し、第２の映像音声信号処理機器に送信する。また、第２の映像音声信号処理機器には、電源制御手段を設け、第１の映像音声信号処理機器の電源制御信号生成手段からの電源制御信号を受け、該電源制御信号に応じて、第２の映像音声信号処理機器の電源のオン・オフを制御する。
このような構成を設けることによって、本体となる第１の映像音声信号処理機器側から外部機器となる第２の映像音声信号処理機器の電源のオン・オフを制御する。
【００１５】
具体的に、本発明の第１観点に係る映像音声信号処理装置において、記憶手段を設け、第１の映像音声信号処理機器が前回電源オンされていた時に使用していた第２の映像音声信号処理機器を接続していた外部入力端子を記憶し、今度第１の映像音声信号処理機器が電源オンされる時に、記憶された外部入力端子に接続されていた第２の映像音声信号処理機器の電源をオンする。また、第１の映像音声信号処理機器が電源オフされる時に、動作中の第２の映像音声信号処理機器の電源をオフする。
【００１６】
本発明の第２観点に係る映像音声信号処理装置によれば、外部チューナーに、番組情報データ送信手段を設け、外部チューナーからの映像音声信号を処理する本体となる映像音声信号処理機器に所定のチャンネルの番組情報データを送信する。また、映像音声信号処理機器には、番組情報表示制御手段を設け、外部チューナーの番組情報信号送信手段から送られてきた所定の放送チャンネルの番組情報データを受け、表示部に番組情報を表示する。さらに、映像音声信号処理機器に、チャンネル選択手段を設け、情報データが表示されたチャンネルを所望の視聴チャンネルとして選択する。
このような構成を設けることによって、本体となる映像音声信号処理機器側から外部機器の受信する放送信号についてチャンネル切換操作を行なう。
また、表示部上に確認したい所定のチャンネルの番組内容が表示されるので、番組の内容を確認してから選局することが可能となる。
【００１７】
【発明の実施の形態】
以下、本発明の映像音声処理装置の実施形態について、添付した図面を参照して説明する。次の実施形態では、本発明の映像音声処理装置の一例として、ハードディスク・レコーダ（ＨＤＤ−ＲＣＤ）を備えたＴＶ受像機を用いて説明する。
【００１８】
第１の実施形態
本実施形態は、本体から外部機器の電源のオン・オフを制御する映像音声信号処理装置に関する。
まずは、本実施形態の映像音声処理装置の全体構成を説明する。
図１は、本実施形態に係る映像音声処理装置の構成の一例を示す図である。
図１に示された映像音声処理装置は、ＴＶ受像機１と、ＴＶ受像機１に接続し、入力される映像音声信号を処理してＴＶ受像機１に出力するハードディスク・レコーダ（Hard Disk Recorder: ＨＤＤ−ＲＣＤ）２と、ハードディスク・レコーダ２に接続され、映像音声信号を出力する外部機器、例えばＣＳ放送を受信するＣＳ受像機３（例えば、スカイパーフェクト受像機）（以下、ＳＫＹ−Ｐと記す）、ＤＶＤ（Digital Versatile Disk）再生装置４（以下、ＤＶＤプレイヤーと呼ぶ）と、ＴＶ受像機１に対して遠隔操作を行なうリモコン６とを有する。
ここで、ＴＶ受像機１またはハードディスク・レコーダ（Hard Disk Recorder: ＨＤＤ−ＲＣＤ）２は、本発明の「第１の映像音声信号処理機器」に相当し、ＣＳ受像機３、及びＤＶＤプレイヤー４は、本発明の「第２の映像音声信号処理機器」に相当する。
【００１９】
図１に示すように、ＴＶ受像機１は、表示部５と、リモコン受信部１ａとを有し、また、不図示の電源ボタンや、チャンネル切り換えや各種設定を行なう操作ボタンも備えている。
表示部５にはハードディスク・レコーダ２から入力される映像音声信号は出力され、表示される。リモコン受信部１ａは、リモコン６が発信する制御信号を受信する。
【００２０】
ハードディスク・レコーダ２は、ＴＶ受像機１に入力される映像音声信号を処理する。具体的に、ハードディスク・レコーダ２は、入力されたディジタル映像音声信号を符号化し、内蔵された大容量のハードディスクに保存しながら、ＴＶ受像機１に出力する。入力された映像音声信号が既に符号化されている場合は、ハードディスク・レコーダ２はその映像音声信号を直接にＴＶ受像機１に出力し、または、ハードディスクに保存しながら、ＴＶ受像機１に出力する。ＴＶ受像機１に入力される映像音声信号は表示部５に表示される。
映像音声信号はハードディスク・レコーダ２のハードディスクに保存されることによって、視聴者はＴＶ受像機１の表示部５で番組を視聴しながら、番組内容を編集したり、巻き戻したりすることができる。
図１に示すように、ハードディスク・レコーダ２は、リモコン受信部２ａを備えており、リモコン６が発信する制御信号を受信する。
【００２１】
図１に示すように、リモコン６は、例えば、放送チャンネル若しくは外部入力信号を切り換えるチャンネルアップボタン６ａ、チャンネルダウンボタン６ｂ、各種設定を行なうメニュボタン６ｃ、ＴＶ受像機１とハードディスク・レコーダ２の電源をオン・オフする電源ボタン６ｄ、発信部６ｅを備えている。また、図示されていないが、リモコン６には、音量アップボタンや、音量ダウンボタンや、数字ボタンや、入力切換ボタンなども設けられている。
【００２２】
リモコン６は、視聴者の操作によりＴＶ受像機１のリモコン受信部１ａとハードディスク・レコーダ２のリモコン受信部２ａに向けて制御信号を発信し、視聴する放送チャンネルの切換、又は、外部機器からの外部入力信号の切換、または、各種設定を行なう。また、リモコン６は、ＴＶ受像機１とハードディスク・レコーダ２の電源をオン・オフする。ハードディスク・レコーダ２は、自ら映像を表示せず、ＴＶ受像機１へ供給する信号を処理する処理部として機能するので、ハードディスク・レコーダ２とＴＶ受像機１を同時に電源オン・オフするとする。
さらに、本実施形態で、リモコン６は、ＴＶ受像機１、ハードディスク・レコーダ２の電源と連動し、使用する外部機器（例えばＣＳ受像機３、或は、ＤＶＤプレイヤー４）の電源をオン・オフする。
【００２３】
外部機器であるＣＳ受像機（ＳＫＹ−Ｐ）３とＤＶＤプレイヤー４は、それぞれ、ＣＳ放送のディジタル放送信号とＤＶＤから再生されるディジタル映像音声信号をハードディスク・レコーダ２に出力する。
図１に示すように、例えば、ＴＶ受像機１に地上波チューナーとＢＳチューナーが内蔵されている。地上波チューナーとＢＳチューナーが地上波アンテナからの地上波放送信号と、ＢＳアンテナからのＢＳアナログ放送信号を受信し、ＴＶ受像機１に入力する。
なお、地上波チューナーとＢＳチューナーが受信した放送信号をまずハードディスク・レコーダ２に出力する構成にしても良い。この場合、ハードディスク・レコーダ２において、地上波放送とＢＳ放送のアナログ信号は一旦ディジタル化され、そして、このディジタル化された信号は、ＣＳ放送信号とＤＶＤプレイヤー４からのディジタル映像音声信号と同じようにハードディスク・レコーダ２で処理されて、保存されながら、ＴＶ受像機１に出力され表示される。これによって、地上波放送とＢＳアナログ放送の番組を編集することができるようになる。
【００２４】
図２は、本実施形態に係る映像音声処理装置における構成成分及び各構成成分の接続関係を示す図である。
ＴＶ受像機１は、外部接続端子（ＥＸ−ＩＮ）７を備えており、ハードディスク・レコーダ２から入力される映像音声信号Ｓ１は外部接続端子７を経由してＴＶ受像機１に入力される。
ハードディスク・レコーダ２からＴＶ受像機１に入力される映像音声信号Ｓ１は、例えば、コンポジット信号と音声信号からなる。外部接続端子７を経由してハードディスク・レコーダ２からＴＶ受像機１にコンポジット信号と音声信号からなる映像音声信号Ｓ１を転送するためには、例えば、ハードディスク・レコーダ２とＴＶ受像機１の間にコンポジット信号経路と音声信号経路を設け、或は、映像信号を転送するＤ端子と音声信号経路を設け、信号Ｓ１を転送する。
【００２５】
ハードディスク・レコーダ２は、例えば、４つの外部接続端子１５〜１８（ライン入力、Ｌ１〜Ｌ４）と、制御信号を転送する高速データ端子１９（Ｔ１）及びコントロール・アウト端子１９ｂ（controls out）（Ｔ２）とを有する。ハードディスク・レコーダ２は、ライン入力Ｌ１〜Ｌ４を経由してＣＳ受像機３とＤＶＤプレイヤー４などの外部機器と接続する。端子１９と端子１９ｂを介して、ハードディスク・レコーダ２はＣＳ受像機３とＤＶＤプレイヤー４などの外部機器を制御する。
例えば、ＣＳ受像機３はライン入力端子Ｌ１に接続され、ＤＶＤプレイヤー４はライン入力端子Ｌ４に接続されており、ＣＳ受像機３とＤＶＤプレイヤー４が出力されたディジタル映像音声信号はライン入力端子Ｌ１とＬ４を経由してハードディスク・レコーダ２に入力される。
ＣＳ受像機３からハードディスク・レコーダ２に入力される映像音声信号はコンポジット信号と音声信号を含み、ＣＳ受像機３とハードディスク・レコーダ２の間に設けられたコンポジット信号経路と音声信号経路、或は、映像信号を転送するＤ端子と音声信号経路で、ライン入力Ｌ１を経由してハードディスク・レコーダ２に転送される。
ＤＶＤプレイヤー４の場合に、例えば、上記と同じように、ライン入力Ｌ４を経由して映像音声信号をハードディスク・レコーダ２に転送する。
【００２６】
ハードディスク・レコーダ２における高速データ端子１９（Ｔ１）は、ハードディスク・レコーダ２から外部機器（例えばＣＳ受像機３）に電源制御信号を転送するのに用いられる。
本実施形態において、ＴＶ受像機１とハードディスク・レコーダ２側から、ＴＶ受像機１とハードディスク・レコーダ２の電源のオン・オフと連動し、例えばＣＳ受像機３の電源のオン・オフを制御する。具体的に、ハードディスク・レコーダ２においてハードディスク・レコーダ２の電源のオン・オフ状態に応じて生成された電源制御信号Ｓ２は高速データ端子１９を経由してＣＳ受像機３に出力する。
ハードディスク・レコーダ２におけるコントロール・アウト端子１９ｂは、例えば、ハードディスク・レコーダ２からＤＶＤプレイヤー４へ制御信号を転送する端子である。該制御信号によって、ハードディスク・レコーダ２側からＤＶＤプレイヤー４を操作し、例えば、再生、電源オン・オフ制御ができる。
【００２７】
図２に示すように、ハードディスク・レコーダ２は、ライン入力端子１５〜１８を経由して、複数の外部機器と接続している。ハードディスク・レコーダ２は、外部機器の電源制御を行なう時には、特定の外部機器のみに電源制御信号Ｓ２を送り、その外部機器だけを電源オン又はオフする。
例えば、ＴＶ受像機１とハードディスク・レコーダ２とに連動して、ＣＳ受像機３を立ち上げたい時は、ハードディスク・レコーダ２は、自身の電源のオンした時に、高速データ端子１９を経由してＣＳ受像機３に電源制御信号Ｓ２を送り、ＣＳ受像機３の電源をオンする。ハードディスク・レコーダ２電源をオフした時に、高速データ端子１９を経由してＣＳ受像機３に電源制御信号Ｓ２を送り、ＣＳ受像機３の電源をオフする。ＤＶＤプレイヤー４へ制御信号を送らない。
一方、ＤＶＤプレイヤー４の電源オン・オフを制御する場合に、ＤＶＤプレイヤー４のみに制御信号を送る。
ハードディスク・レコーダ２とＣＳ受像機３の間の高速データ端子の具体例として、例えば、リモコンマウス、高速データポート端子、ＩＥＥＥ１３９４、ＵＳＢ等がある。
【００２８】
なお、本実施形態において、一例として、ハードディスク・レコーダ２のライン入力にＣＳ受像機３とＤＶＤプレイヤー４が接続されているとしたが、ハードディスク・レコーダ２のライン入力端子１５〜１８（Ｌ１〜Ｌ４）に、他の任意の映像音声生成装置、例えば、ＶＴＲ（Video Tape Recorder）、ディジタルカメラなどを接続しても良く、対応する制御信号を転送する端子を設けても構わない。
【００２９】
次に、ハードディスク・レコーダ２の具体的な構成を説明する。
図２に示すように、ハードディスク・レコーダ２は、映像音声ストリームデータを記憶するハードディスク１１と、外部機器から入力される映像音声信号を符号化するエンコーダ１２と、符号化された映像音声信号を復号化し、ＴＶ受像機１の表示部５に出力するデコーダ１３と、ハードディスク・レコーダ２の各成分を制御するＣＰＵ１４と、外部機器が接続されるライン入力端子１５〜１８と、リモコン受信部２ａとを備えている。
【００３０】
エンコーダ１２は、例えば、ＭＰＥＧ方式で映像データと音声データを符号化するＭＰＥＧエンコーダであり、ＣＳ受像機３から入力される例えば映像信号と音声信号を符号化し、ハードディスク１１に転送する。
ハードディスク１１は、十分大きな記憶容量を持ち、符号化された放送番組の映像と音声データを記憶する。
デコーダ１３は、例えば、ＭＰＥＧ方式で符号化された映像データと音声データを復号化するＭＰＥＧデコーダであり、ハードディスク１１またはエンコーダ１２からの符号化された映像信号と音声信号を伸張し、映像音声信号Ｓ１としてＴＶ受像機１に出力する。
また、図示していないが、ハードディスク１１とエンコーダ１２及びデコーダ１３の間に、ハードディスク１１にアクセスするためのインターフェイスを設けられている。
【００３１】
リモコン６は、前述したように、ＴＶ受像機１、ハードディスク・レコーダ２、及び視聴したい外部機器（例えばＣＳ受像機３、或は、ＤＶＤプレイヤー４）を連動して電源をオン・オフする制御信号を発信する。
ハードディスク・レコーダ２のリモコン受信部２ａはリモコン６からの電源オン・オフの制御信号を受信した時に、リモコン受信部２ａはその制御信号に応じて所定の信号を生成し、ＣＰＵ１４に出力する。
ＣＰＵ１４は、ハードディスク１１、エンコーダ１２、デコーダ１３などの動作を制御する。特に、ＣＰＵ１４は、ハードディスク・レコーダ２のリモコン受信部２ａはリモコン６からの電源オン・オフの制御信号を受信した時に生成した信号を受け、ＣＳ受像機３の電源のオン・オフを制御する信号Ｓ２を生成し、高速データ端子１９を介してＣＳ受像機３に出力し、ＣＳ受像機３の電源をオンまたはオフする。
【００３２】
図３は、以上に説明した本実施形態の映像音声処理装置において、ハードディスク・レコーダ２と連動してＣＳ受像機３の電源制御を行なう回路の具体例を示す図である。
本実施形態の映像音声処理装置における電源制御回路は、リモコン６と、ハードディスク・レコーダ２におけるリモコン受信部２ａ、ＣＰＵ１４、ＣＰＵ１４に接続するメモリ２０、高速データ端子１９（Ｔ１）及びコントロール・アウト端子１９ｂ（Ｔ２）と、ＣＳ受像機３における高速データ端子２１（Ｔ２）、ＣＰＵ２３、及び電源スイッチ２２（ＰＷＲ）と、ＤＶＤプレイヤー４におけるコントロール・イン端子２１ｂ（Ｔ４）とを有する。
次の説明では、図２と同じ部分の説明を省略する。
【００３３】
ＣＳ受像機３における高速データ端子２１（Ｔ３）は、ハードディスク・レコーダ２の高速データ端子１９から転送される電源制御信号Ｓ２をＣＳ受像機３に入力し、ＣＰＵ２３に転送する端子である。
ＣＰＵ２３は、本実施形態において、高速データ端子２１が受けた電源制御信号Ｓ２が入力され、その電源制御信号に応じてＣＳ受像機３の電源スイッチ２２のオン・オフを制御する。
ＤＶＤプレイヤー４におけるコントロール・イン端子２１ｂは、ハードディスク・レコーダ２のコントロール・アウト端子１９ｂからの制御信号をＤＶＤプレイヤー４に入力する端子であり、ＤＶＤプレイヤー４はその制御信号に応じて動作し、例えば、ＤＶＤに記録されている映像音声信号を再生し、または、電源をオン・オフする。
【００３４】
ハードディスク・レコーダ２において、図２に図示されていないメモリ２０は、ハードディスク・レコーダ２に映像音声信号を供給しているライン入力を記憶する。例えば、図３において、ハードディスク・レコーダ２にＣＳ放送信号を出力するＣＳ受像機３が接続しているライン入力１５が現在の入力ソースとしてメモリ２０に記憶される。
こうすることによって、例えばＣＳ放送の番組を視聴した後に、映像音声信号処理装置全体の電源を一旦切った場合であっても、後ほどもう一度映像音声信号処理装置の電源を入れる時に、ハードディスク・レコーダ２におけるＣＰＵ１４はメモリ２０の記憶内容を参照し、メモリ２０に記憶された前回入力ソースとなったライン入力に接続している外部機器のみに電源制御信号Ｓ２を送り、ハードディスク・レコーダ２と連動してＣＳ受像機３の電源をオンする。
具体的には、電源制御信号Ｓ２は、ライン入力１５に接続しているＣＳ受像機３のみに、対応する高速データ端子Ｔ１を経由して送られ、ＣＳ受像機３の電源をオンする。一方、前回使用していなかったＤＶＤプレイヤー４について、電源制御信号Ｓ２を送らず、電源制御を行なわない。
【００３５】
ハードディスク・レコーダ２を電源オフした時に、ＣＰＵ１４はメモリ２０の記憶内容を参照し、メモリ２０に記憶されている現在の入力ソースとなるライン入力に接続している外部機器のみに、対応する高速データ端子を経由して電源制御信号Ｓ２を送り、ハードディスク・レコーダ２と連動してその外部機器の電源をオフする。一方、前回使用していなかったＤＶＤプレイヤー４について、電源制御信号Ｓ２を送らず、電源制御を行なわない。
例えば、ＣＳ受像機３を使用している時は、ＣＰＵ１４は、高速データ端子Ｔ１を経由してＣＳ受像機３のみに電源制御信号Ｓ２を送り、ハードディスク・レコーダ２と連動してＣＳ受像機３の電源をオフする。
ＤＶＤプレイヤー４を使用している時は、ＣＰＵ１４は、コントロール・アウト端子Ｔ２を経由してＤＶＤプレイヤー４に電源制御信号Ｓ２を送り、ハードディスク・レコーダ２と連動してＤＶＤプレイヤー４の電源をオフする。
このようにして、ＴＶ受像機１とハードディスク・レコーダ２側から、ＴＶ受像機１とハードディスク・レコーダ２の電源のオン・オフと連動し、接続する外部機器の電源をオン・オフすることができる。
【００３６】
図４（ａ）と（ｂ）は、本実施形態に係る映像音声信号処理装置において外部機器の電源制御する動作を説明するフローチャートである。
図４（ａ）に示すフローチャートは、ハードディスク・レコーダ２に連動して外部機器の電源をオンする動作を説明する。
ステップＳ１：
リモコン６又はハードディスク・レコーダ２、若しくは、ＴＶ受像機１の本体に設けた電源ボタンを操作し、ハードディスク・レコーダ２とＴＶ受像機１の電源をオンし、番組または映像を視聴する。
ステップＳ２：
ハードディスク・レコーダ２のＣＰＵ１４は、ライン入力端子に外部機器が接続されているか否かを判断する。
外部機器が接続されていない場合は、外部機器の電源制御を終了する。
外部機器が接続されている場合は、次のステップに進む。
【００３７】
ステップＳ３：
ハードディスク・レコーダ２におけるＣＰＵ１４は、メモリ２０の記憶内容を参照し、メモリ２０に記憶された前回の入力ソースはライン入力であるか否かを判断する。
前回の入力ソースはライン入力でない場合は、外部機器を使っていなかったので、今回優先的に電源オンする対象でなく、外部機器の電源制御を終了する。
前回の入力ソースはライン入力である場合は、次のステップに進む。
【００３８】
ステップＳ４：
ＣＰＵ１４は、前回入力ソースとなるライン入力に接続されている外部機器に、対応する制御信号端子を経由して電源制御信号Ｓ２を送る。
ステップＳ５：
外部機器側の制御信号端子は、電源制御信号Ｓ２を受け、外部機器におけるＣＰＵに出力し、外部機器の電源スイッチをオンする。
このように、ハードディスク・レコーダ２と連動して外部機器の電源をオンすることができる。
【００３９】
図４（ｂ）に示すフローチャートは、ハードディスク・レコーダ２に連動して外部機器の電源をオフする動作を説明する。
ステップＳ１１：
リモコン６又はハードディスク・レコーダ２若しくはＴＶ受像機１の本体に設けた電源ボタンを操作し、ハードディスク・レコーダ２とＴＶ受像機１の電源をオフする。
【００４０】
ステップＳ１２：
ハードディスク・レコーダ２におけるＣＰＵ１４は、メモリ２０の記憶内容を参照し、メモリ２０に記憶された現在の入力ソースはライン入力であるか否かを判断する。
現在の入力ソースはライン入力でない場合は、外部機器の電源制御を終了する。
現在の入力ソースはライン入力である場合は、次のステップに進む。
【００４１】
ステップＳ１３：
ＣＰＵ１４は、現在の入力ソースとなるライン入力に接続されている外部機器に、対応する制御信号端子を経由して電源制御信号Ｓ２を送る。
ステップＳ１４：
外部機器側の制御信号端子は、電源制御信号Ｓ２を受け、外部機器におけるＣＰＵに出力し、外部機器の電源スイッチをオフする。
このように、ハードディスク・レコーダ２と連動して外部機器の電源をオフすることができる。
ステップＳ１５：
ＣＰＵ１４は、現在の入力ソースとなるライン入力をメモリ２０に記憶する。
【００４２】
本実施形態によれば、ＴＶ受像機１とハードディスク・レコーダ２側から、ＴＶ受像機１とハードディスク・レコーダ２の電源のオン・オフと連動して、特定のライン入力端子に接続されている外部機器の電源をオン・オフすることができる。これによって、複数の機器を接続している映像音声信号処理装置において、外部機器の電源をオン・オフするために、複数のリモコンを用意する必要がなくなる。
【００４３】
第２の実施形態
本実施形態は、本体で外部チューナーが受信したチャンネルの番組内容を表示し、また、番組チャンネルを切り換える映像音声信号処理装置に関する。
本実施形態に係る映像音声処理装置の全体構成は、図１に示す第１実施形態に係る映像音声処理装置の全体構成と同じである。ただし、本実施形態で取り上げられたハードディスク・レコーダ及びＣＳ放送受像機であるＣＳ受像機の構成は異なる。
次に、ハードディスク・レコーダとＣＳ受像機に新たな参照番号を用い説明をする。なお、重複する説明を適宜に省略する。
【００４４】
図５は、本実施形態に係る映像音声処理装置の構成の一例を示す図である。
即ち、本実施形態の映像音声処理装置は、ＴＶ受像機１と、ＴＶ受像機１に入力される映像音声信号を処理してＴＶ受像機１に出力するハードディスク・レコーダ（Hard Disk Recorder: ＨＤＤ−ＲＣＤ）２９と、ハードディスク・レコーダ２９に接続されている例えばＣＳ放送を受信する受像機、例えば、ＣＳ受像機３０と、ＴＶ受像機１とハードディスク・レコーダ２９の遠隔操作を行なうリモートコントローラ（リモコン）６とを有する。
図５に示すように、ＴＶ受像機１は、表示部５と、リモコン受信部１ａとを有し、ハードディスク・レコーダ２９は、リモコン受信部２９ａを有する。
なお、第１の実施形態と同じように、ＴＶ受像機１に地上波チューナーとＢＳチューナーも内蔵されており、ＣＳ受像機３０以外に、ＤＶＤ（digital versatile disk）プレイヤー、ビデオ信号記録再生機（ＶＴＲ）などの外部機器をハードディスク・レコーダ２９に接続しても良い。
【００４５】
ＣＳ受像機３０は、ＣＳ放送のディジタル信号をハードディスク・レコーダ２９に出力する。
リモコン受信部１ａと２９ａは、リモコン６が発信した制御信号を受信する。表示部５には、ハードディスク・レコーダ２９から入力される映像音声信号は出力され表示される。また、ＣＳ受像機３０で受信可能なチャンネルの一覧表及び各チャンネルの詳細な情報を表示する。
具体的に、視聴者はＣＳ受像機３０で受信している視聴中の番組チャンネルを切り換える時に、表示部５にＣＳ受像機３０で受信可能なチャンネルのアイコンを羅列して一覧表を表示する。また、選択された好みのチャンネルの放送内容が例えば表示部５の下部に表示される。
視聴者は表示された情報で番組内容を確認してから、表示部５において視聴チャンネルを確認された好みの番組チャンネルに切り換えることができる。
【００４６】
リモコン６は、例えば、放送チャンネルを切り換えるチャンネルアップボタン６ａ、チャンネルダウンボタン６ｂ、各種設定を行なうメニュボタン６ｃ、ＴＶ受像機１とハードディスク・レコーダ２９の電源をオン・オフする電源ボタン６ｄ、発信部６ｅを備えている。また、図示されていないが、リモコン６には、音量アップボタンや、音量ダウンボタンや、数字ボタンや、入力切換ボタンなども設けられている。
リモコン６は、ＴＶ受像機１のリモコン受信部１ａとハードディスク・レコーダ２９のリモコン受信部２９ａに向けられて視聴者の操作により制御信号を発信し、例えば、電源のオン・オフ制御、番組一覧表と番組内容の表示、放送チャンネルの切換などを行なう。
【００４７】
具体的に、前述した番組チャンネルを切り換える場合は、視聴者はリモコン６を操作して、表示部５にＣＳ受像機３０で受信可能なチャンネルのアイコンの羅列からなる一覧表を表示し、また、リモコン６を操作して、好みのチャンネルのアイコンを選択すると、該チャンネルの放送内容等の情報が表示部５の下部に表示される。
視聴者は表示された情報で番組内容を確認してから、リモコン６で該好みのチャンネルを決定する操作を行なうと、視聴チャンネルを該決定されたチャンネルに切り換えることができる。
【００４８】
図６は、本実施形態に係る映像音声処理装置において各構成成分の接続関係及びハードディスク・レコーダ２９の構成例を示す図である。
ＴＶ受像機１は、外部接続端子（ＥＸ−ＩＮ）７を有し、ハードディスク・レコーダ２９からの映像音声信号Ｓ１は外部接続端子７を経由してＴＶ受像機１に入力され、表示部５に出力される。
ハードディスク・レコーダ２９は、例えば、４つの外部接続端子１５〜１８（Ｌ１〜Ｌ４）（以下、ライン入力と呼ぶ場合もある）と、高速データ端子３１（Ｔ５）とを有する。
ライン入力Ｌ１〜Ｌ４を経由して、ハードディスク・レコーダ２９はＣＳ受像機３０などの外部機器と接続し、映像音声信号を供給される。
高速データ端子３１を介して、ハードディスク・レコーダ２９とＣＳ受像機３０などの外部機器との間に、番組情報データや、制御データなどが転送される。
【００４９】
本実施形態において、高速データ端子３１を介して、ＣＳ受像機３０は、受信している番組の情報データＳ３をハードディスク・レコーダ２９に送る。その情報データＳ３はハードディスク・レコーダ２９で処理され表示部５に表示される。
また、表示部５に表示されているチャンネルの一覧表から選択したいチャンネルを決定すると、ハードディスク・レコーダ２９においてチャンネル選択を行なうための制御信号Ｓ４が生成され、高速データ端子３１を経由してＣＳ受像機３０に出力される。制御信号Ｓ４に応じてＣＳ受像機３０の受信チャンネルは切り換えられる。
【００５０】
次に、ハードディスク・レコーダ２９の具体的な構成を説明する。
図６に示すように、ハードディスク・レコーダ２９は、リモコン受信部２９ａと、映像音声ストリームデータを記憶するハードディスク１１と、外部機器から入力される映像音声信号を符号化するエンコーダ１２と、符号化された映像音声信号を復号化し、映像音声信号Ｓ１としてＴＶ受像機１の表示部５に出力するデコーダ１３と、番組情報を表示部５に表示するＯＳＤ（On Screen Display）回路３３と、以上の構成成分を制御するＣＰＵ１４と、外部機器が接続されるライン入力端子１５〜１８とを備えている。
【００５１】
エンコーダ１２とデコーダ１３は、第１の実施形態と同じように動作するので、説明を省略する。
ＯＳＤ回路は、表示部５に表示された番組チャンネルの一覧から選択されたチャンネルの番組の情報となる映像データを生成し、ＴＶ受像機１の表示部５に出力する。
具体的に、ＣＳ受像機３０から高速データ端子３１を経由して転送されたストリームデータは、ハードディスク・レコーダ２９において処理され、番組情報が抽出される。ＯＳＤ回路３３はその番組情報から表示部５に表示する映像データを生成し、出力する。
【００５２】
図７は、本実施形態の映像音声信号処理装置において、ＣＳ受像機３０の構成の一例を示している。
図７に示された回路は、ＣＳ受像機３０が受信している放送チャンネルの映像音声データと番組情報データＳ３を生成して出力し、また、ハードディスク・レコーダ２９より入力されるチャンネル切換制御信号Ｓ４を処理してそれに応じてチャンネル切換を行なう。
図７に示すように、ＣＳ受像機３０は、ＣＳチューナー３４と、ディスクランブラー回路（ＤＳＲ）３５と、デコーダ３６と、バッファ３７と、高速データ端子３２（Ｔ６）とを含む。
【００５３】
ＣＳチューナー３４は、ＣＳアンテナから入力されるＣＳ放送のディジタル信号を復調し、指定された放送チャンネルのデータを選択し、ディスクランブラー回路３５に出力する。
また、ＣＳチューナー３４は、高速データ端子３２（Ｔ６）を介してハードディスク・レコーダ２９から入力されたチャンネル切換制御信号Ｓ４に制御され、受信する放送信号のチャンネルを切り換える。
ディスクランブラー回路３５は、放送信号にかけられているスクランブルを解除し、デコーダ３６及びバッファ３７に出力する。
デコーダ３６は、例えば、ＭＰＥＧ方式で圧縮されたＣＳ放送信号を復号し、映像音声信号としてハードディスク・レコーダ２９におけるライン入力端子１５（Ｌ１）に出力する。
ＣＰＵ２３は、高速データ端子３２を介してハードディスク・レコーダ２９から入力されたチャンネル切換制御信号Ｓ４を受け、ＣＳチューナー３４を制御し、受信する放送信号のチャンネルを切り換える。
【００５４】
図８は、ハードディスク・レコーダ２９において、ＣＳ受像機３０からの番組情報データＳ３を処理する回路、及びＣＳ受像機３０へ出力するチャンネル切換制御信号Ｓ４を生成する回路の具体例を示している。
ハードディスク・レコーダ２９において、リモコン受信部２９ａと、ＣＰＵ１４と、ＯＳＤ回路３３と、プログラム識別子フィルタ回路（ＰＩＤ−ＦＬＴ）４１と、バッファ４２と、高速データ端子３１（Ｔ５）とにより、ＣＳ受像機３０から転送された放送番組データＳ３を処理して表示部５に出力し、また、チャンネル切換制御信号Ｓ４を生成し出力する。
【００５５】
高速データ端子３１を介して、ＣＳ受像機３０が高速データ端子３２を経由して受信している放送チャンネルの番組のストリームデータＳ３をハードディスク・レコーダ２９に転送する。該信号はバッファ４２を介してプログラム識別子フィルタ回路４１に入力される。
プログラム識別子フィルタ回路４１は、指定されたプログラム識別子（ＰＩＤ：program ID）により、入力された放送信号から、該チャンネルの必要な番組情報、例えば、ＥＩＴ（Event Information Table）と呼ばれるデータを抽出し、ＣＰＵ１４に入力する。
ＯＳＤ回路３３は、前述のように、ＣＰＵ１４から入力された選択チャンネルの番組情報データを、表示部５に表示する映像データに変換し、いわゆる電子番組表（ＥＰＧ）データをＴＶ受像機１の表示部５に出力する。
【００５６】
ＣＰＵ１４は、プログラム識別子フィルタ回路４１に入力されたストリームデータＳ３から番組情報を抽出するためのプログラム識別子を指定する。
また、リモコン６を操作して、表示部５に受信可能なチャンネルの一覧表で所定のチャンネルのアイコンを選択し、リモコン６が制御信号を発信した時は、ＣＰＵ１４は、ハードディスク・レコーダ２９のリモコン受信部２９ａが受信した信号を受け、チャンネル切換制御信号Ｓ４を生成し、バッファ４２と高速データ端子３１を介して、ＣＳ受像機３０に出力する。
また、ＣＰＵ１４は、プログラム識別子フィルタ回路４１が抽出した選択されたチャンネルの情報データをＯＳＤ回路３３に送る。
【００５７】
以上の構成は、図９のフローチャートに示すように動作し、表示部５に番組情報を表示し、選局を行なう。
ステップＳ２１：
例えば視聴者はリモコン６を操作し、表示部５にＣＳ受像機３０で受信可能なチャンネルの一覧表を表示する。
図１０は、表示部５の表示例を示す。
図１０において、リモコン６の操作に応じて、表示部５に複数の放送チャンネルのアイコンが表示されている。
【００５８】
そして、視聴者はリモコン６上の矢印ボタンを操作し、一覧表の中に視聴しようとするいわゆる好みのチャンネルのアイコンを選択する。
具体的に、図１０において、８６７チャンネルが好みのチャンネル５１として選択された。
好みのチャンネルが選択されると、そのチャンネル番号がＣＰＵ１４に読み取られる。
【００５９】
ステップＳ２２：
ＣＰＵ１４は、選択されたチャンネルの番組情報（ＥＰＧ）が事前に取得されているかどうか判定する。
同チャンネルの番組情報の表示は、最新の番組情報データが取得されている場合は、ＣＰＵ１４は該番組情報データをＯＳＤ回路３３に出力し、ＯＳＤ回路３３は映像データを生成し表示部５に出力し表示され、次のステップの処理に進む。
一定の期間以内に同チャンネルの番組情報の表示は行なわれておらず、最新の番組情報データが取得されていない場合は、次のステップの処理に進む。
【００６０】
ステップＳ２３：
番組情報を得るために、ＣＳ受像機３０が受信するチャンネルを選択された好みチャンネルに切り換える。
具体的には、リモコン６は好みチャンネルを選択する制御信号を発信すると、ＣＰＵ１４はリモコン受信部２９ａを介してその制御信号を受信し、チャンネル切換制御信号Ｓ４を生成し、バッファ４２と高速データ端子３１を介して、ＣＳ受像機３０に出力する。
ＣＳ受像機３０におけるＣＰＵ２３は、高速データ端子３２を介して入力されたチャンネル切換制御信号Ｓ４を受け、ＣＳチューナー３４を制御し、受信するチャンネルを選択された好みチャンネルに切り換える。その結果、高速データ端子３２を介してストリームデータＳ３はハードディスク・レコーダ２９に転送される。
【００６１】
ステップＳ２４：
ＣＳ受像機３０が受信した放送チャンネルのストリームデータＳ３は、高速データ端子３１を介してハードディスク・レコーダ２９に転送され、バッファ４２を介してプログラム識別子フィルタ回路４１に入力される。
ＣＰＵ１４は、ストリームデータＳ３から番組情報を抽出ためのＰＩＤをプログラム識別子フィルタ回路４１に指定する。
【００６２】
ステップＳ２５：
プログラム識別子フィルタ回路４１は、指定されたＰＩＤにより、データＳ３から必要な番組情報ＥＩＴを抽出し、ＣＰＵ１４に入力する。
ＣＰＵ１４は、ＥＩＴ情報を取得したかどうか判定し、取得するまでにＥＩＴ情報の受信を繰り返す。
【００６３】
ステップＳ２６：
ＣＰＵ１４はプログラム識別子フィルタ回路４１から入力された選択チャンネルの番組情報データをＯＳＤ回路３３に入力する。
ＯＳＤ回路３３は、その番組情報データを表示部５に表示する映像データに変換しＴＶ受像機１の表示部５に出力する。例えば、番組タイトル、チャンネル番号、番組放送時間、番組内容の紹介の全部或はいずれかは表示部５に表示される。
例えば、図１０には選択された番組の情報表示５２が例示されている。図１０において、好みチャンネルである８６７チャンネルのチャンネル番号、放送時間、番組内容は表示されている。
【００６４】
ステップＳ２７：
番組情報が表示部５に表示された後は、視聴者が視聴チャンネルを好みチャンネルに切り換えるかどうかを決定する。
視聴者が視聴チャンネルを好みチャンネルに切り換えない場合は、ステップＳ２１に戻り、次の好みチャンネルを選択し、内容を確認する。
視聴者はステップＳ２６において表示された情報で番組内容を確認してから、リモコン６で確認した好みのチャンネルを決定する操作を行なうと、表示部５に表示する内容を該好みのチャンネルに切り換える。
【００６５】
本実施形態によれば、ＴＶ受像機１とハードディスク・レコーダ２９側から、ＴＶ受像機１とハードディスク・レコーダ２９の電源のオン・オフと連動して、特定のライン入力端子に接続されている外部機器の電源をオン・オフすることができる。これによって、複数の機器を接続している映像音声信号処理装置において、外部機器の電源をオン・オフするために、複数のリモコンを用意する必要がなくなる。
【００６６】
以上、本発明を好ましい実施の形態に基づき説明したが、本発明は以上に説明した実施の形態に限られるものではなく、本発明の要旨を逸脱しない範囲で、種々の改変が可能である。
例えば、以上リモコンを用いて外部機器の電源制御を行なう例を述べたが、勿論、外部機器に設けられた電源スイッチを直接に操作することによって、外部機器の電源を手動で制御することもできる。
【００６７】
【発明の効果】
本発明によれば、外部入力について、ライン入力の数は多くなっても、選局操作は手間が掛からず、迅速かつ円滑に所望のチャンネルを選択できる。
【図面の簡単な説明】
【図１】本発明の第１の実施形態に係る映像音声処理装置の構成を例示する図である。
【図２】本発明の第１の実施形態に係る映像音声処理装置において、各構成成分の接続関係を示す図である。
【図３】本発明の第１の実施形態に係る映像音声処理装置において、電源制御を行なう構成を例示する図である。
【図４】本発明の第１の実施形態に係る映像音声処理装置において電源制御を示すフローチャートである。
【図５】本発明の第２の実施形態に係る映像音声処理装置の構成を例示する図である。
【図６】本発明の第２の実施形態に係る映像音声処理装置において、各構成成分の接続関係を示す図である。
【図７】本発明の第２の実施形態に係る映像音声処理装置において、番組情報を生成する構成を示す図である。
【図８】本発明の第２の実施形態に係る映像音声処理装置において、番組情報を受信し処理する構成を示す図である。
【図９】本発明の第２の実施形態に係る映像音声処理装置において、番組情報を表示し、選局を行なう画面表示を例示する図である。
【図１０】本発明の第２の実施形態に係る映像音声処理装置において、番組情報を表示し、選局を行なう処理を示すフローチャートである。
【符号の説明】
１…テレビ、１ａ…リモコン受信部、２…ハードディスク・レコーダ、２ａ…リモコン受信部、３…ＣＳ受像機、４…ＤＶＤプレイヤー、５…表示部、６…リモコン、６ａ…チャンネルアップボタン、６ｂ…チャンネルダウンボタン、６ｃ…メニュボタン、６ｄ…電源ボタン、６ｅ…リモコン送信部、７…外部入力端子、１１…ハードディスク、１２…エンコーダ、１３…デコーダ、１４…ＣＰＵ、１５、１６、１７、１８…外部入力端子、１９…高速データ端子、１９ｂ…コントロール・アウト端子、２１…高速データ端子、２１ｂ…コントロール・イン端子、２２…ＣＳ受像機電源、２３…ＣＰＵ、２９…ハードディスク・レコーダ、２９ａ…リモコン受信部、３０…ＣＳ受像機、３１、３２…高速データ端子、３３…ＯＳＤ回路、３４…ＣＳチューナー、３５…ディスクランブラー、３６…デコーダ、３７…バッファ、４１…ＰＩＤフィルタ、４２…バッファ、５１…選択チャンネル、５２…番組情報、Ｓ１…映像音声信号、Ｓ２…電源制御信号、Ｓ３…放送ストリームデータ、Ｓ４…チャンネル切換信号、Ｓ５…番組情報データ。
【図１】
2004200862.tif 000003
【図２】
2004200862.tif 000004
【図３】
2004200862.tif 000005
【図４】
2004200862.tif 000006
【図５】
2004200862.tif 000007
【図６】
2004200862.tif 000008
【図７】
2004200862.tif 000009
【図８】
2004200862.tif 000010
【図９】
2004200862.tif 000011
【図１０】
2004200862.tif 000012